(57)【要約】【課題】複数の出席者が集う講義に対して出席したか否かの出欠情報を、短時間に効率的に収集すると共に出席者の代返などの不正行為を防止し正確な講義の出欠管理を行うことができる出欠管理システム及び出席者の理解度を講師が把握するためのアンケート管理システムを提供する。【解決手段】受講者を特定する受講者ＩＤ情報が記憶された記憶手段を有するＩＣカードを読み取るＲＦＩＤリーダ・ライタを搭載した端末ユニットのデータを無線ユニットで通信を行い、ＰＣ画面が座席表を表示できる機能を有し、前記端末ユニットの上にＩＣカードを載せた席の前記座席表の画面表示を色表示で判別し出欠状況を把握する。前記端末ユニットには複数のボタンが設けられていて、前記ボタンを使用し、講義中にアンケート調査を実施し、受講者を講義に引き込ませ、また受講者の反応を即座に把握する。【選択図】図１
2008009558.tif 000002
【特許請求の範囲】
【請求項１】
受講者を特定するＵＩＤが記憶された記憶手段を有するＩＣカードから、前記ＵＩＤを読み取るＲＦＩＤリーダ・ライタを搭載した端末ユニットと、前記端末ユニットと無線通信にてデータの送受信を行う無線ユニットと、前記無線ユニットに接続され、受講者に関するデータ管理を行う管理部とを備える、
ことを特徴とする出席管理システム。
【請求項２】
前記管理部は、前記端末ユニット上に受講者が前記ＩＣカードを載置したことを、検知することにより、受講者の出席を検出する、
ことを特徴とする請求項１に記載の出席管理システム。
【請求項３】
前記端末ユニットは、受講者が講師のアンケートに回答するための押下ボタンと表示画面を有する、
ことを特徴とする請求項１に記載の出席管理システム。
【請求項４】
前記管理部は、受講者がひとつの質問に対応して前記端末ユニットの押下ボタンを操作するリアルタイムアンケートと、受講者が複数の質問に対して前記押下ボタンを操作する一括アンケートの少なくても一方を表示集計する、
ことを特徴とする請求項１に記載の出席管理システム。
【発明の詳細な説明】
【技術分野】
【０００１】
本発明は、双方向対話型講義を支援する出席管理システムに関する。
【背景技術】
【０００２】
従来の出席管理システムとしては、各着席位置にＩＣカードリーダ・ライタが搭載された端末ユニットが設置され、着席時にＩＣカードを端末ユニットに挿入し、管理装置に赤外線送信を行い、出席として登録するシステムが特許文献１に開示されている。
【０００３】
また、携帯電話を使用して自分のＩＤを入力し管理装置に送信を行い、出席管理を行うシステムが特許文献２に開示されている。
【特許文献１】特開２００２−１４０６６８号公報
【特許文献２】特開２００４−２５８９４１号公報
【発明の開示】
【発明が解決しようとする課題】
【０００４】
上記特許文献１は、講義の冒頭でＩＣカードが挿入されたかを検出するシステムであるため、講義中の途中にＩＣカードを抜いても出席状態となっている。又、赤外線により端末ユニットから管理装置に送信を行っているので、方向性の角度範囲が限られ、通信可能な距離も限定されてしまう。又、受講者が多数の場合、混信し、赤外線が遮断制限され、管理装置が端末ユニットより送信されたデータを認知できなくなる。
【０００５】
上記特許文献２では携帯電話等を使用し自分のＩＤを入力する際に、入力ミスをする可能性がありシステム的に不安定である。さらに、講義の途中での退出者の検出のためには、携帯電話を常時オンとしておかねばならないから、現実的ではない。また講師のアンケート機能は開示されているが、回答の毎に携帯電話をオンにしなければならないので手数がかかる上に応答に時間がかかる。
【０００６】
本発明の課題は、受講者の途中退出を容易に検出できると共に、講師のアンケートに対しても簡単かつ短時間で応答できるので講義の双方向対話性を向上した出席管理システムを提供することである。
【課題を解決するための手段】
【０００７】
本発明の出欠管理システムは、講義の出欠状況を管理するものであって、講義に参加する出席者が所持するＩＣカードを、ＲＦＩＤリーダ・ライタを搭載する端末ユニットに載置し、リアルタイムに出席者のデータを読み取る。
【０００８】
前記端末ユニットに搭載されている押下ボタンを使用し、アンケート調査を行い、アンケート調査の結果をリアルタイムで集計し、例えば、プロジェクタを管理装置と接続し、参加者にも集計結果を開示する。
【発明の効果】
【０００９】
受講者の出席及び着席位置を管理装置でリアルタイムに把握でき、簡易に出席をとることができる。又、講師が管理装置画面で常に着席状況を把握できるので途中退出、代返行為などを防ぐことができる。
【００１０】
前記端末ユニットに搭載されている押下ボタンを使用し、例えば講義の途中でアンケートを実施し、受講者一人一人の回答をリアルタイムに集計・処理し、講師が受講者の理解度を把握することができる。
【００１１】
本発明の出欠管理システム及びアンケート管理システムは無線通信で行い、大規模から小規模まで、いろいろな教室に合った最適なシステムを容易に構築することができる。
【００１２】
ＩＣカード情報を活用した個人の認識により講師が受講者のことをより知ることができ、例えば、管理装置に受講者の座席装置と名前が表示されるので講師が受講者を指差し等して名前で呼ぶことができ、双方向対話型講義の臨場感を向上することができる。
【発明を実施するための最良の形態】
【００１３】
本発明のシステム構成を図１に示す。本発明は例えば大学の教室で使用し、受講者の各席に設置する端末ユニット１、端末ユニット１のデータを無線で受信する無線ユニット２、無線ユニット２で受信したデータを処理し、処理したデータを表示させる管理装置３で構成されている。管理装置３は講師が使用しやすい場所に設置する。又、無線ユニット２は管理装置３とコード等の有線で接続されているため、コードの接続範囲内とする。
【００１４】
各端末ユニット１は、ＲＦＩＤタグ、ＲＦＩＤリーダ・ライタ２１を備えると共に無線による通信機能を有し、例えば、リチウムイオンバッテリー２５からなる電池で駆動される。尚、ＩＣカード４は、受講者を特定する受講者ＩＤを備える。
【００１５】
図２は、端末ユニット１の平面図及び側面図を示す。端末ユニット１は、ＩＣカードを載置するように傾斜して形成された平面１０を有し、その下方にはＡからＥの押下ボタン１１を備え、各押下ボタンに対応して位置する表示部１２を備える。さらに、電波強度表示部１３、バッテリー残量表示部１４を備える。
【００１６】
図３は、端末ユニット１と無線ユニット２、及び管理装置３の通信処理を示す。管理装置３より動作指示を送信し、無線ユニット２を介して端末ユニット１に送信され、それを受け端末ユニット１でＩＣカード情報、押下ボタン情報を読み取り無線ユニット２を介して管理装置３に送信する。管理装置は、出席状況、アンケート状況、システムメンテナンスの処理を行う。
【００１７】
図４は端末ユニット１の見述する構成を示す。該端末ユニット１において、ＲＦＩＤリーダ・ライタ２１は例えばフェリカカード(登録商標)のデータを認識するものである。本発明の基となるＲＦＩＤタグは、スイカ(登録商標)やお財布携帯などに代表される情報を記憶する記憶部と無線通信を行う通信部を組み合わせたシステムに用いられ、商品管理や入出庫管理などの用途で流通分野を中心に発展し、今や工場内の製造ライン管理やオフィスの資産管理など、応用範囲が様々に広がっているといわれている。尚データを認識する形態は前記のものに限定されない。例えばスイカ(登録商標)などＩＣタグ・ＩＣチップを搭載したものが使用できる。
【００１８】
図４において、ＭＰＵ２２は、ＩＣカード情報をＲＦＩＤリーダ・ライタ２１で認識したＩＣカード情報を、該ＭＰＵ２２と同期検出２３を介して無線通信部２４に伝達させる。尚、本実施例においては、無線ユニット２を介して管理装置３に送る。
【００１９】
図４において、本実施例ではバッテリー装置はリチウムイオン電池６を使用する。端末ユニット１は例えば卓上に固定させておき使用した場合、端末ユニット１と卓上の設置面にバッテリー装置の入出口があるとバッテリーの交換が困難であり、本発明における端末ユニット１は卓上との設置面を底面とすると側面にバッテリーの入出口を設けた。
【００２０】
図４において、ＬＣＤドライバ２６は、複数のボタンで構成されているボタン装置１１で使用者により選択される押下ボタンを認知し、ＬＣＤ表示画面１２にＬＣＤドライバ２６を介して情報を表示する。
【００２１】
無線通信部２４は２．４ＧＨｚ帯の特小無線を使用している。
【００２２】
同期検出部２３はＭＰＵ２２によって制御され、無線ユニット２と通信する際に、当該端末ユニット１が限定の時間間隔のみ送信できるように無線通信部１０を制御する機能であり、ＭＰＵ２２は管理装置３から他の端末ユニット１と送受信している時には無線通信部２４にスリープ機能をもたせることができる。尚、ディップスイッチは例えば、同期の始まりを示す同期コードを設定する。端末ユニット１は、有線でも使用できるように有線接続部２８も具備する。
【００２３】
図５に複数の端末ユニット１と無線ユニット２と管理装置３で送受信を行う手順を示す。管理装置３は従来の公知であるＰＣを使用し、端末ユニットより送信されるデータを集計・処理するためのソフトウェアをインストールしデータ集計・処理を行う。管理装置３から無線ユニット２を介して各端末ユニット１に動作開始のコマンド送信を行い、それを受けて各端末ユニットで認知した情報を無線ユニット２にステータス送信する。尚、無線ユニット２は各端末ユニット１との送受信動作を１０ｍｓで順次行う。例えば、３００台で使用した場合３ｓ周期で前記各端末ユニット１にコマンド送信される。
【００２４】
図５において、コマンド送信、レスポンス送信が正常に行われない端末ユニット１においては、前記各端末ユニット１との送受信時間は１０ｍｓを厳守し、１０ｍｓ内に送受信できない場合は、次の端末ユニット１と送受信を行う。例えば、３００台で使用した場合において、１台目は正常に送受信され、２台目が送受信できなかった場合、次回の２台目の送受信は３０１０ｍｓ後となる。
【００２５】
図６において、無線ユニット２の構成を示す。無線ユニット２は、ＭＰＵ３２、同期検出３３、無線通信部３４を有する点では端末ユニット１と同様である。無線ユニット２の構成は、端末ユニット１に搭載されているＲＦＩＤリーダ・ライタが搭載されてなく、又、無線ユニットはＡＣアダプタ３５を使用し電源を需要するため、ＡＣアダプタ３５との接続口３６を搭載している。ＤＩＰＳＷ３７、管理装置にＲＳ２３２Ｃと介して接続させる端子とインターフェイス３９備える。
【００２６】
図７Ａ〜図７Ｄを参照して、講師が管理装置３を構成するＰＣと、端末ユニット１を用いて受講者の出席を検出する手順を示す。
【００２７】
図７Ａについて、まず、講師は管理装置で操作を行い、講義開始を宣言し、又、受講者は端末ユニット１の電源を入れ各受講者が所持するＩＣカードを端末ユニット１の上に設置する。尚、ここでは講師の作業と、受講者の作業の順序は限定されない(Ｓ１)。
【００２８】
次に端末ユニット１は設置されたＩＣカードの情報を取得し(Ｓ２)、管理装置３は端末ユニット１に対しＩＣカード情報を要求し、端末ユニット１からＩＣカード情報を取得する(Ｓ３)。
【００２９】
次に、取得したＩＣカード情報から管理装置３の保持情報と比較させ合致する情報を取得する(Ｓ４)。ここでは、例えば大学の講義において受講資格のない受講者の場合は合致しない。
【００３０】
次に合致し、取得できたデータを画面に出力し(Ｓ５)、管理装置３は合致情報が取得できた場合は端末ユニット１にＩＣカード情報を認知できたことを通知し(Ｓ７)、それをうけて端末ユニットはＬＣＤ表示部のＯＫを点灯状態にする(Ｓ８)。
【００３１】
図７Ｂは図７Ａを示した出席を検出する処理の工程を端末ユニット１、無線ユニット２、管理装置３間のデータの送受信がより明らかになるようにカードリーダは、１つの端末ユニット１について、例えば、２秒間隔で、その電源がＯＫとなって、情報を取得する。また、管理装置３は端末ユニット１からカード情報と受信したとき、前のカード情報と変化がなければ、そのカード情報の登録がわかると別判断し、前のカード情報と変化があれば、保持情報を更新し、新しいカード情報の登録があるかを判断する。カード無しの時は、ＯＫの表示を点滅状態とする。
【００３２】
図７Ｃは、管理装置３における出席状況の検出のフローを示す。カード情報を管理装置３で受信し、既存の保持情報と比較を行う。例えば講義に参加資格のない受講生はここで不一致となる。不一致の場合、その不一致となった端末位置情報と受講者情報のログを保管し例えば、再発防止等に使用する。
【００３３】
図７Ｄは、管理装置３の画面表示を元に本発明の通信処理フローを示す。端末ユニット１の情報を取得し画面に全体状況を状況別に色表示させ、さらに受講者位置情報を取得し、画面に拡大表示させる。
【００３４】
次に図８Ａ〜図８Ｄを参照して講師と受講者が、管理装置と端末ユニットを用いて、リアルタイムアンケートを実施する手順を説明する。
【００３５】
図８Ａに示すように、講師は管理装置３を例えばタッチパネルで操作を行い、リアルタイムアンケート開始を宣言し(Ｓ１１)、端末ユニット１に通知する(Ｓ１２)。端末ユニットは通知を受信しＬＣＤ表示画面に選択可能な択数を表示する(Ｓ１３)。受講者は端末ユニット１の押下ボタンを操作し、アンケートに回答し(Ｓ１４)、講師が管理装置３で操作を行い、アンケート終了を宣言するまで変更することができる(Ｓ１５)。アンケート終了を宣言後、各端末ユニット１に各端末ユニット１が回答した最終結果を通知し(Ｓ１６)、端末ユニット１のＬＣＤ表示画面に回答した最終結果を表示する(Ｓ１７)。尚、受講者に回答を求める質問事項は、予め口頭で伝える手段や黒板に提示する手段などで伝えておく。
【００３６】
図８Ｂは、リアルタイムアンケートの処理の工程を示す。一連の流れは図８Ａで示したが、図７Ｂに示す出席を検出する際のフローと同様に、保持情報と不一致の時の処理フローを示した。端末ユニットがＩＣカード情報を読み取り、駆動しているときに、保持情報との確認も行う。
【００３７】
図８Ｃは、リアルタイムアンケートのログ出力のフローを示す。カード情報を管理装置３で受信し、既存の保持情報と比較を行う。例えば講義に参加資格のない受講生はここで不一致となる。
【００３８】
図８Ｄは、リアルタイムアンケートの実施中においての画面出力についてのフローを示す。全体画面表示中では、表示対象の設問番号のデータの収集をする。端末状態を取得し(ＳＷ押下情報)、ＳＷ押下情報別の表示色及び位置情報を取得した後、全体画面に出力する。また、回答状況画面で前記取得したデータを統計処理し、円グラフ及び回答別情報を表示する
【００３９】
次に図９Ａ〜図９Ｄを参照して講師と受講者が、管理装置と端末ユニットを用いて、一括アンケートを実施する手順を説明する。
【００４０】
図９Ａにおいて、講師は管理装置３を例えばタッチパネルで操作を行い、一括アンケート開始を宣言し(Ｓ２１)、端末ユニット１に通知し(Ｓ２２)、端末ユニットのＬＣＤ表示部に一括アンケートを表示する(Ｓ２３)。受講者は端末ユニット１の押下ボタンを操作し、１問目から回答を行い、回答が決定したら矢印ボタンを押下し２問目に移行する。ここで矢印を押下するまでは変更可能であり、また前記手順で最終問を回答後、再度矢印ボタンで１問目に戻り、講師が管理装置３で操作を行い、アンケート終了を宣言するまで確認及び変更することができる(Ｓ２４)。アンケート終了を宣言後(Ｓ２５)、管理装置３は端末ユニット１から最終結果を収集し(Ｓ２６)この際、端末ユニット１のＬＣＤ表示画面に回答した最終結果を表示する(Ｓ２７)。尚、受講者に回答を求める質問事項は、予め口頭で伝える手段や黒板に提示する手段などで伝えておく。
【００４１】
図９Ｂは、一括アンケートの処理の工程を示す。一連の流れは図９Ａで示したが、出席を検出する時と同様に保持情報と不一致の時の処理フローを示した。保持情報の確認は端末ユニットが駆動する際に行う。
【００４２】
図９Ｃは、一括アンケートのログ出力のフローを示す。カード情報を管理装置３で受信し、既存の保持情報と比較を行う。例えば講義に参加資格のない受講生はここで不一致となる。
【００４３】
図９Ｄは、一括アンケートの実施中においての画面出力についてのフローを示す。全体画面表示中では、表示対象の設問番号のデータの収集をする。端末状態を取得し(ＳＷ押下情報)、ＳＷ押下情報別の表示色及び位置情報を取得した後、全体画面に出力する。また、回答状況画面で前記取得したデータを統計処理し、棒グラフ及び回答別情報を表示する。
【００４４】
バッテリー残量の情報フローチャートについて図１０に示す。前記端末ユニット１は定期的にバッテリーの温度及びバッテリー出力のＡＤ変換を行い(Ｓ３１)、前記変換したＡＤデータを使用しバッテリー残量をパーセントで算出し(Ｓ３２)、算出したバッテリー残量を端末ユニット１から管理装置３に送信し(Ｓ３３)、算出した前記算出結果をＬＣＤのバッテリー強度表示部に４段階で表示する(Ｓ３４)。
【００４５】
前記算出結果を管理装置３に送信し、管理装置３はバッテリー残量≦バッテリー警告値となる場合においては管理装置画面上に警告表示を行う。
【００４６】
受信強度の情報フローチャートについて図１１に示す。端末ユニット１は、無線ユニット２が出力するＲＳＳＩ(Received Signal Strength Indicator)のＡＤ変換を定期的に行い(Ｓ４１)、端末ユニット１はＡＤ変換値から無線強度を算出し(Ｓ４２)、算出した無線強度を端末ユニット１から管理装置３に送信し(Ｓ４３)、ＬＣＤの無線強度表示部に４段階で表示する(Ｓ４４)。
【００４７】
算出結果を管理装置３に送信し、無線強度≦無線強度警告値となる場合においては前期管理装置画面上に警告表示を行う。
【００４８】
次に、図１２Ａ〜図１２Ｅを参照して本発明の実施例において管理装置３のディスプレイに対する制御を説明する。
【００４９】
ディスプレイの画面構成を図１２Ａに示す。
起動画面の表示構成において、起動画面は『開始』、『設定』、『メンテナンス』、『終了』の選択コマンドで構成されている。
【００５０】
図１２Ａにおいて、起動メニュー画面の『開始』コマンドを講師が例えばタッチパネルを使用し選択した場合の表示される着席状況画面(図１２Ｂ参照)において、全体の座席画面が表示され、座席画面の表示情報には、各座席にＩＤ情報が対応付けられており、送信されてきたＩＣカード情報と一致するＩＤ情報を有する座席を赤色表示にする。
【００５１】
又、リアルタイムアンケート、一括アンケートの開始宣言も着席状況画面で講師が例えばタッチパネルを使用し開始宣言を行う。
【００５２】
リアルタイムアンケートの表示画面を図１２Ｃに示す。着席状況画面と同じく、全体の座席画面が表示され、受講者が例えばＡを選択した時は、各端末ユニット１でＡを選択した座席ブロックの色が赤色表示となり、又各受講者の回答が全出席者に対してのパーセント表示を円グラフで示される。
【００５３】
一括アンケートの表示画面を図１２Ｄに示す。着席状況画面と同じく、全体の座席画面が表示され、講師が管理装置を用いて例えば７問目を指示すると、７問目の回答状況が表示される。又、例えば２０問出題があった場合１から２０まで縦列された棒グラフが表示され、受講者が選択した各設問の回答が全出席者に対してのパーセント表示がされる。
【００５４】
図１２Ａにおいて、起動メニュー画面の『設定』コマンドを講師が例えばタッチパネルを使用し選択した場合において、システム設定画面が表示され(図１２Ｅ参照)、ここで画面色表示設定、各種動作設定を行う。
【００５５】
図１２Ａにおいて、起動メニュー画面の『メンテナンス』コマンドを講師が例えばタッチパネルを使用し選択した場合、メンテナンスメニュー画面が表示され、ここでバッテリー残量と無線強度を確認する。
【００５６】
本発明は上述した実施形態に限定されない。
上述した実施例では、本発明を大学の授業の出席及びアンケートを取るケースに適用した場合を例示したが、本発明は、出席状況及びアンケートをとる場合には同様に適用可能である。又、実施例においてはアンケートとしたが、講師の使い方で例えば試験など、様々な用途で使用することが可能である。
【００５７】
(付記１) 受講者を特定するＵＩＤが記憶された記憶手段を有するＩＣカードから、前記ＵＩＤを読み取るＲＦＩＤリーダ・ライタを搭載した端末ユニットと、前記端末ユニットと無線通信にてデータの送受信を行う無線ユニットと、前記無線ユニットに接続され、受講者に関するデータ管理を行う管理部とを備える、
ことを特徴とする出席管理システム。
(付記２)前記管理部は、前記端末ユニット上に受講者が前記ＩＣカードを載置したことを、検知することにより、受講者の出席を検出する、
ことを特徴とする付記１に記載の出席管理システム。
(付記３)前記端末ユニットは、受講者が講師のアンケートに回答するための押下ボタンと表示画面を有する、
ことを特徴とする付記１に記載の出席管理システム。
(付記４)前記アンケートは、受講者がひとつの質問に対応して押下ボタンを操作するリアルタイムアンケートと、受講者が複数の質問に対して押下ボタンを操作する一括アンケートの少なくても一方である、
ことを特徴とする付記１に記載の出席管理システム。
(付記５)前記端末ユニットは、リチウムイオンバッテリーを使用し、バッテリー入出口が該端末ユニットの側面に位置する、
ことを特徴とする付記１に記載の出席管理システム。
(付記６)前記端末ユニットは、前記管理装置に該端末ユニットのバッテリー残量、無線強度を知らせ、管理装置で該端末ユニットのバッテリー残量、無線強度を管理する、
ことを特徴とする付記１に記載の出席管理システム。
(付記７)前記端末ユニットは、稼動可能な該端末ユニットである、
ことを特徴とする付記１に記載の出席管理システム。
【図面の簡単な説明】
【００５８】
【図１】本発明のシステム構成。
【図２】端末ユニットの平面図及び側面図。
【図３】本発明の通信処理の構成。
【図４】端末ユニットのシステム構成。
【図５】複数の端末ユニットを使用した通信処理の構成。
【図６】無線ユニットのシステム構成。
【図７Ａ】出席に関する処理フロー。
【図７Ｂ】出席に関するフロー。
【図７Ｃ】出席に関する管理装置動作フロー。
【図７Ｄ】出席に関する管理装置画面動作フロー。
【図８Ａ】リアルタイムアンケートの処理フロー。
【図８Ｂ】リアルタイムアンケートに関するフロー。
【図８Ｃ】リアルタイムアンケートに関する管理装置動作フロー。
【図８Ｄ】リアルタイムアンケートに関する管理装置画面動作フロー。
【図９Ａ】一括アンケートの処理フロー。
【図９Ｂ】一括アンケートに関するフロー。
【図９Ｃ】一括アンケートに関する管理装置動作フロー。
【図９Ｄ】一括アンケートに関する管理装置画面動作フロー。
【図１０】バッテリー残量の処理フロー。
【図１１】受信強度の処理フロー。
【図１２Ａ】管理装置画面構成。
【図１２Ｂ】全体表示画面。
【図１２Ｃ】リアルタイムアンケート結果表示画面。
【図１２Ｄ】一括アンケート結果表示画面。
【図１２Ｅ】設定画面。
【符号の説明】
【００５９】
１…端末ユニット。
２…無線ユニット。
３…管理装置。
４…ＲＦＩＤリーダ・ライタ。
１０…平坦部。
１１…ボタン装置。
１２…ＬＣＤ表示画面。
１３…バッテリー残量表示。
１４…無線強度表示。
２１…ＲＦＩＤリーダ・ライタ。
２２…ＭＰＵ。
２３…同期検出部。
２４…無線通信部。
２５…リチウムイオン電池。
２６…ＬＣＤドライバ。
２７…ＤＩＰＳＷ。
３２…ＭＰＵ。
３３…同期検出部。
３４…無線通信部。
３５…ＡＣアダプタ。
３６…接続口。
３７…ＤＩＰＳＷ。
３８…ＲＳ２３２Ｃ
３９…インターフェイス。
【図３】
2008009558.tif 000003
【図５】
2008009558.tif 000004
【図６】
2008009558.tif 000005
【図７Ａ】
2008009558.tif 000006
【図７Ｂ】
2008009558.tif 000007
【図７Ｃ】
2008009558.tif 000008
【図７Ｄ】
2008009558.tif 000009
【図８Ｂ】
2008009558.tif 000010
【図８Ｃ】
2008009558.tif 000011
【図８Ｄ】
2008009558.tif 000012
【図９Ｂ】
2008009558.tif 000013
【図９Ｃ】
2008009558.tif 000014
【図９Ｄ】
2008009558.tif 000015
【図１】
2008009558.tif 000016
【図２】
2008009558.tif 000017
【図４】
2008009558.tif 000018
【図８Ａ】
2008009558.tif 000019
【図９Ａ】
2008009558.tif 000020
【図１０】
2008009558.tif 000021
【図１１】
2008009558.tif 000022
【図１２Ａ】
2008009558.tif 000023
【図１２Ｂ】
2008009558.tif 000024
【図１２Ｃ】
2008009558.tif 000025
【図１２Ｄ】
2008009558.tif 000026
【図１２Ｅ】
2008009558.tif 000027